(57)【要約】【課題】記録紙をスイッチバックし、所望の方向へ送り出す紙反転装置において、記録紙が進入路にあるか否かの検知の不安定さの解消と、排紙中の記録紙と切り替え部材との接触による、切り替え部材の誤作動を防止することを目的とする。【解決手段】記録紙の進入・排紙を支持軸を中心に回動することで行う切り替え部材とセンサーの検知部材を一体的に構成し、前記記録紙の排紙時には、前記切り替え部材の支持軸周辺で前記記録紙と切り替え部材の接触による回転モーメントを支持軸に伝達できなくする部材を設けること。【選択図】　　　　図５
2004035135.tif 000002
【特許請求の範囲】
【請求項１】
記録紙をスイッチバックし、所望の方向へ送り出す紙反転装置において、
前記スイッチバックのための進入路と排紙路のうち、前記記録紙が進入路を通過中であるか否かを検出するためのセンサーを作動させる検知用部材と、前記記録紙の進入・排紙を支持軸を中心に回動することで行う切り替え部材を一体的に構成し、前記記録紙の排紙時に、前記切り替え部材の支持軸周辺で前記記録紙と切り替え部材の接触を防止する部材を設けたことを特徴とする紙反転装置。
【請求項２】
前記接触を防止する部材はローラであって、前記支持軸周りに回転可能であり、該ローラの外周は前記支持軸周辺では、前記切り替え部材より突出している部分を有することを特徴とする請求項１に記載の紙反転装置。
【請求項３】
前記ローラは、２部品に分割され、軸に直交する方向から軸を挟むように組み立てられることを特徴とする請求項２に記載の紙反転装置。
【請求項４】
前記接触を防止する部材は板状の部材であることを特徴とする請求項１に記載の紙反転装置。
【請求項５】
前記検知用部材には、前記切り替え部材が前記記録紙の進入路を遮る方向に付勢する付勢部材が設けられ、前記検知用部材の付き当て位置に緩衝材を設けたことを特徴とする請求項１〜４のいずれか１項に記載の紙反転装置。
【発明の詳細な説明】
【０００１】
【発明の属する技術分野】
本発明は、プリンター、ＦＡＸ、複写機等に使用する紙反転装置に関するものである。
【０００２】
【従来の技術】
一般に電子写真複写機等の記録装置に使用される用紙すなわち記録紙はその上面に画像や文字を記録し、画像面を上向きにした状態で排紙される。
【０００３】
一方、記録紙の両面に画像を記録するべく片面に画像を記録した記録紙を再給紙装置に排紙する形式の装置では、画像面を下向きの状態で排紙する必要があり、また片面画像で排紙する場合にも原稿のページ順と一致させるため同様画像面を下向きの状態で排紙トレイに排紙するのが望ましく、このような記録紙の反転装置として特開平５−７７９９６号公報による提案が開示されている。この公報には、検出のためのセンサーを作動させる検知用部材を支持軸に取り付け、さらに回動可能な切り替え部材を排出方向へ向けるよう付勢する錘を検知用部材に取り付けることが記載されている。
【０００４】
【発明が解決しようとする課題】
ところが上述の公報の紙反転装置では、排紙の際、記録紙の先端が楔状の切り替え部材に沿って移動しつつ排紙されるため、紙と切り替え部材の接触及びその摩擦力により、特に紙先端が切り替え部材の支持軸近傍に来た時、切り替え部材に対し、付勢力に抗する方向のモーメントを発生させる。このため切り替え部材が回動させられ、同時に検知用部材も回動しセンサーを作動させ、排紙中であるにもかかわらず、進入路に前記記録紙が通過中であるかのように誤認して動作シーケンスに支障をきたしてしまう欠点がある。さらに場合によっては、排紙中の紙が排紙路中で、切り替え部材に押さえつけられ記録紙の搬送ができなくなるという問題を有している。
【０００５】
また、記録紙が進入路を通過し終え、切り替え部材が付勢力により、復帰した際バウンドし、センサーを作動させた場合にも同様の問題がある。
【０００６】
加えて、検知用部材の固定方法が完全でないと、ガタや位相のずれを生じ、切り替え部材の回動の検知が不安定となる欠点を有している。
【０００７】
本発明は、記録紙をスイッチバックし、所望の方向へ送り出す紙反転装置において、記録紙が進入路にあるか否かの検知の不安定さの解消と、排紙中の記録紙と切り替え部材との接触による、切り替え部材の誤動作を防止することを目的とするものである。
【０００８】
【課題を解決するための手段】
本発明は上記問題を鑑み、記録紙をスイッチバックし、所望の方向へ送り出す紙反転装置において、前記スイッチバックのための進入路と排紙路のうち、前記記録紙が進入路を通過中であるか否かを検出するためのセンサーを作動させる検知用部材と、前記記録紙の進入・排紙を支持軸を中心に回動することで行う切り替え部材を一体的に構成し、前記記録紙の排紙時に、前記切り替え部材の支持軸周辺で前記記録紙と切り替え部材の接触を防止する部材を設けたことを特徴とする紙反転装置とすることで、上記問題を、解消できる。
【０００９】
さらに、具体的には接触を防止する部材がローラであって、前記支持軸周りに回転可能であり、該ローラの外周は前記支持軸周辺では、前記切り替え部材より突出している部分を有するようにすること、または接触を防止する部材は板状の部材とし、紙と切り替え部材の摩擦力を支持軸に伝達できなくすることで、付勢力に抗する方向のモーメントの発生を防止できることとなり、上記問題の発生を防止できる。
【００１０】
また、バウンドによる問題に対しては、前記検知用部材には、前記切り替え部材が前記記録紙の進入路を遮る方向に付勢する付勢部材が設けられ、前記検知用部材の付き当て位置に緩衝材を設けることで解消できる。
【００１１】
【発明の実施の形態】
本発明に係わる紙反転装置を有する画像形成装置の一実施例の画像形成プロセス及び各機構について、図１を用いて説明する。図１は、本発明にかかわる搬送経路ユニットを有する画像形成装置の一実施の形態を示す電子写真方式を用いたデジタル方式のプリンタ兼用の複写機の概要断面図である。
【００１２】
図に示す画像形成装置は、デジタル方式を用いた複合機能を有する画像形成装置であって、装置本体の上部に自動原稿搬送装置ＡＤＦを設けるとともに、画像読取り部Ａ、画像処理部Ｂ（図示省略）、画像形成部Ｃ、記録材給送部Ｄから構成されている。
【００１３】
自動原稿搬送装置ＡＤＦは、装置本体の上部に設けられ、原稿を一枚ずつ送り出し、原稿の画像読取位置へと搬送し、画像読取が終わった原稿を排紙する装置である。原稿載置台１１１上に載置された複数枚の原稿は、原稿分離ローラ１１２によって分離され、１枚ずつ搬送される。原稿分離ローラ１１２によって分離・搬送された原稿は、原稿搬送ローラ１１３によって搬送され、下方に設けられた画像読取り部Ａによって、スリット２１１を通して、原稿の画像が読み取られる。画像が読み取られた原稿は、原稿排紙ローラ１１４によって、原稿排紙台１１５上へと排紙される。ところで、原稿の両面の画像を読み取る際には、画像が読み取られた原稿は、原稿反転部１１６によって原稿の表裏が反転されて、再度、原稿搬送ローラ１１３によって搬送され、画像読取り部Ａによって、スリット２１１を通して、原稿の裏面の画像が読み取られる。そして、裏面の画像が読み取られた原稿は、原稿排紙ローラ１１４によって、原稿排紙台１１５上へと排紙される。このような工程が、原稿載置台１１１上に載置された原稿の枚数分繰り返され、原稿の画像が読み取られる。
【００１４】
また、自動原稿搬送装置ＡＤＦは、一体に可倒式に構成されており、この自動原稿搬送装置ＡＤＦを起こしてプラテンガラス２１２上を開放することにより、プラテンガラス２１２上に原稿を直接載置することができるように構成されている。
【００１５】
画像読取り部Ａは、原稿の画像を読み取り画像データを得る手段であり、装置本体内の上部に設けられている。この画像読取り部Ａは、自動原稿搬送装置ＡＤＦの原稿搬送ローラ１１３によって搬送されている原稿の画像を読み取るためのスリット状の開口部であるスリット２１１と、原稿を直接載置するための原稿台であるプラテンガラス２１２と、原稿に光照射する光源である原稿照射ランプと原稿からの反射光を反射させる第１ミラーとを一体化している第１ミラーユニット２１３と、第１ミラーからの光を反射させる第２ミラーと第３ミラーとを一体化したＶミラーユニット２１４と、スリット２１１上或いはプラテンガラス２１２上の原稿からの反射光をＣＣＤイメージセンサ２１６に結像させる結像手段である結像レンズ２１５と、結像レンズ２１５によって結像された光像を光電変換して画像情報を得る画像読取手段であるライン状のＣＣＤイメージセンサ２１６とによって構成されている。
【００１６】
自動原稿搬送装置ＡＤＦによって送られている原稿を、画像読取り部Ａで読み取る際は、第１ミラーユニット２１３及びＶミラーユニット２１４は、図１において左方に移動し、第１ミラーユニット２１３がスリット２１１の下方に位置している。そして、原稿搬送ローラ１１３によってスリット２１１上を搬送されている原稿を、原稿照射ランプで光照射し、原稿から反射した光は、第１ミラーユニット２１３、Ｖミラーユニット２１４、結像レンズ２１５を介して、ＣＣＤイメージセンサ２１６に入射する。ＣＣＤイメージセンサ２１６では、入射した光を光電変換して、主走査方向（図１において紙面垂直方向）に原稿の画像を読み取り、一方、原稿が原稿搬送ローラ１１３によって副走査方向に移動されるので、原稿全面の画像を読み取ることができる。ＣＣＤイメージセンサ２１６で読み取った画像情報は順次電気信号（輝度信号）に光電変換されたのちＡ／Ｄ変換を行い、画像処理部Ｂにおいて濃度変換、フィルタ処理などの処理が施された後、画像データは一旦メモリにストアされた後、レーザー書込系を用いた画像書込手段である露光光学系１２に供される。
【００１７】
また、プラテンガラス２１２上に原稿が直接載置された場合は、第１ミラーユニット２１３とＶミラーユニット２１４とを、プラテンガラスに沿って、図１において右方向に移動させながら、原稿の画像を読み取ることができる。
【００１８】
画像形成部Ｃは、画像読取り部Ａで得た画像データに基づいて所定のプロセススピードで搬送されている記録材上に画像形成を行う。本実施の形態の画像形成部Ｃは、電子写真プロセスを用いて画像を形成するものである。
【００１９】
画像形成部Ｃでは、画像形成ユニットとして像担持体である感光体ドラム１０の外周に、帯電手段である帯電器１１、現像手段である現像器１３、転写手段である転写器１４ａ、分離手段である分離器１４ｂ、クリーニング手段であるクリーニング装置１８が各々動作順に配置されている。感光体ドラム１０は、光導電性化合物をドラム基体上に塗布形成したもので、例えば有機感光体（ＯＰＣ）が使用され、図示の時計方向に駆動回転される。
【００２０】
回転する感光体ドラム１０へは帯電器１１による一様帯電がなされた後、露光光学系１２により画像処理部Ｂのメモリより呼び出された画像信号に基づいた像露光（画像書込）が行われる。画像書込手段である露光光学系１２は図示しないレーザーダイオードを発光光源とし、画像情報に基づきレーザービーム光が変調され、回転するポリゴンミラー１２ａ、ｆθレンズ（符号なし）、シリンドリカルレンズ（符号なし）を経て反射ミラー１２ｂにより光路が曲げられ主走査がなされるもので、感光体ドラム１０上の所定位置において像露光（画像書込）が行われ、感光体ドラム１０の回転（副走査）によって潜像が形成される。本実施の形態では露光された画像部に対し反転潜像が形成される。
【００２１】
感光体ドラム１０上の反転潜像は現像器１３によって反転現像が行われ、感光体ドラム１０の感光層面にトナー像による可視画像が形成される。
【００２２】
記録材給送部Ｄでは、画像形成ユニットの下方に異なるサイズの記録材（以下、記録紙ともいう）Ｐが収納された記録材収納手段である給紙カセット４１ａ〜４１ｃを有する給紙ユニット４Ａ、４Ｂ、４Ｃが設けられていて、記録紙Ｐが何れかの給紙カセット４１ａ〜４１ｃより、送り出しローラ４２ａ〜４２ｃ、捌きローラ４３ａ〜４３ｃにより送り出され、中間搬送ローラ４４ａ〜４４ｃ、案内ローラ４５を経て搬送部４０の入口側のレジストローラ４６へと搬送される。
【００２３】
また、画像形成部Ｃの側方には手差し給紙を行うための手差し給紙装置６０が設けられていて、手差し給紙台６１に積載される記録紙Ｐは、手差し給紙が選択された場合、押し上げ板６４により手差し送り出しローラ６５へ押圧され、手差し送り出しローラ６５と手差し捌きローラ６６とにより、手差し給紙台６１上から１枚ずつ送り出され、レジストローラ４６へと搬送される。
【００２４】
上記それぞれの方法により給紙される記録紙Ｐは、レジストローラ４６によって記録紙の傾きと偏りの修正を行い一時停止された後、感光体ドラム１０上のトナー像と同期が取られてレジストローラ４６から再給紙が行われ、転写前ローラ４７を経て転写器１４ａの転写域へと搬送される。
【００２５】
感光体ドラム１０上のトナー像は転写域において、転写器１４ａによって記録紙Ｐ上に転写され、次いで分離器１４ｂによって除電されて感光体ドラム１０面より分離され、搬送ベルト１４ｃにより定着装置１７に搬送される。
【００２６】
定着装置１７は定着ローラ１７ａと加圧ローラ１７ｂとを有しており、記録紙Ｐを定着ローラ１７ａと加圧ローラ１７ｂとの間に挿入させ、加熱、加圧することによってトナー像を記録紙Ｐ上に溶融、固着される。
【００２７】
転写後の感光体ドラム１０の周面上に残った転写残トナーは、クリーニング手段であるクリーニング装置１８によりクリーニングされる。
【００２８】
片面のトナー像の定着を終えた記録紙Ｐは次に述べるモードにしたがって他面にもトナー画像を形成する両面画像形成を行い、或いは片面画像の状態で排紙トレイ１９上に排出される。
【００２９】
本実施の形態における画像形成装置には、両面画像形成モード、片面画像形成モード、反転排紙モード等の選択可能なモードがあり、図示しない操作パネルにより選択しうるような構成となっている。
【００３０】
両面画像形成モード時は、記録紙Ｐは定着装置１７で定着を終えた後、排紙時に反転させる紙反転装置の切り替え部材５２の紙面右側及び搬送路５０ａをとおり、正逆に回転可能で記録紙に搬送力を与える搬送ローラ７０（搬送路５０ａから５０ｃへ記録紙を搬送する方向を正転とする）により、搬送路を直進し、５０ｃの位置でスイッチバックする。その後、搬送路５０ｂへ導かれ、搬送ローラ４５を経て画像形成部へ搬送される。
【００３１】
さらに詳しく説明すると、このモードの時の搬送速度は、定着装置内では３２０ｍｍ／ｓであり、図示しない定着出口に設置された記録紙Ｐの後端検知部材による後端検知後は、搬送ローラ７０と搬送路５０ｃ部に配置された搬送ローラが７００ｍｍ／ｓに増速され、この速度で５０ｃ部まで搬送される。なおこの増速時、定着装置出口のローラは１方向クラッチにより、空転するようになっている。５０ｃ部でスイッチバックされた記録紙Ｐは、搬送路５０ｂ部に配置された搬送ローラにより６００ｍｍ／ｓの速度でローラ４５まで搬送される。その後、搬送路５０ｂ部に配置された搬送ローラの電磁クラッチをオフして駆動を止め、ローラ４５により、記録紙Ｐはレジストローラ４６に突き当てられ再度画像形成部へ搬送される。
【００３２】
なお図１中の、黒丸で示した搬送ローラ７０、４５及び搬送路５０ｃ部に配置された搬送ローラは、ステッピングモータで駆動され、搬送路５０ｂ部に配置された２重丸（小丸を黒丸で示す）で示したローラは、電磁クラッチ接続のＤＣモータで駆動されるようになっている。
【００３３】
反転排紙モード時は、定着を終えた記録紙Ｐは、紙反転装置の切り替え部材５２の紙面右側を通過後、搬送ローラ７０の逆転により、紙反転装置の切り替え部材５２の紙面左側をとおることで、スイッチバックさせられ排紙用搬送ローラ７１により、排紙トレイ１９へ排紙される。
【００３４】
さらに詳しく説明すると、このモードの時の搬送速度は、定着装置内では３２０ｍｍ／ｓであり、図示しない定着出口に設置された記録紙Ｐの後端検知部材による後端検知後は、搬送ローラ７０と搬送路５０ｃ部に配置された搬送ローラが７００ｍｍ／ｓに増速されるようになっている。
【００３５】
以上が本発明に関わる画像形成装置の概略である。
図２は、本発明の紙反転装置の一部である切り替え部材５２及び支持軸５２ａ、ローラ５２ｂ、検知用部材５２ｃ、付勢部材５３、センサー５４のレイアウトを示す平面図である。図示のように、ローラ５２ｂは切り替え部材の間に複数個配置される。検知用部材と切り替え部材は、支持軸と一体の樹脂成形もしくは、金属の支持軸とのインサート成型で作られる。
【００３６】
ローラ５２ｂの構成の一例を、図３を用いて説明する。ローラ５２ｂは、図３の（Ａ）、（Ｂ）に示すように２分割された樹脂部品であり、樹脂の弾性を利用して支持軸５２ａをまたいで、挟むように組み立てられ、支持軸周りに回転可能となっている。
【００３７】
図４に、ローラ５２ｂ、切り替え部材５２の支持軸５２ａ周辺の径の関係を示す。支持軸５２ａの直径をＣ、切り替え部材５２の径をＤ、ローラ５２ｂの直径をＥとすると、Ｃ＜Ｄ＜Ｅの関係に設定されている。
【００３８】
図５及び図６は、紙反転装置周辺の要部断面図である。図５は、図１中の紙反転装置の切り替え部材５２周辺の断面図である。
【００３９】
図５において、図１と同様に、正逆に回転可能で記録紙に搬送力を与える搬送ローラ７０と紙反転装置の切り替え部材５２があって、切り替え部材５２は、支持軸５２ａで支持され、図５の実線と破線の状態に回動可能に構成されている。５２ｂは、支持軸に取り付けられた支持軸周りに回転可能なローラである。このローラの外周は、図４のように支持軸周辺では切り替え部材より突出した径を有している。
【００４０】
図６は、切り替え部材５２を記録紙が通過中であるか否かを検出するためのセンサーを作動させる検知用部材５２ｃ周辺の断面図である。図６の状態は図５の切り替え部材５２が、実線の状態の時の検知用部材５２ｃの状態である。切り替え部材５２と一体的に構成された検知用部材５２ｃは、付勢部材５３により図５の切り替え部材５２が実線位置になるよう付勢されている。５５は検知用部材５２ｃのストッパであり、緩衝材で構成されている。この緩衝材は、記録紙が通過を完了した時、付勢部材５３により復帰させられたときの、バウンド防止を目的として設けられている。５４は切り替え部材５２を記録紙が通過中であるか否かを検出するためのセンサーである。本例ではフォトインターラプタで、検知用部材５２ｃがフォトインタラプタの投受光部を遮るか否かを検知するようになっている。
【００４１】
図５において、定着を終えた記録紙Ｐは、矢印（実線）方向へ進入し、切り替え部材５２に加えられている付勢力に抗して、切り替え部材５２を破線の位置へ回動させつつ正逆回転可能な搬送ローラ７０へ搬送される。このとき搬送ローラ７０は、正転方向に回転している。またこのとき、切り替え部材５２が破線の位置に回動させられることにより、図６の検知用部材５２ｃも回動させられ、図８に示すように検知用部材５２ｃはセンサー５４の投受光部を遮り、図示しない制御手段に、切り替え部材５２を記録紙Ｐが通過中であることを信号として伝える。さらに記録紙Ｐは、図５の矢印（破線）方向へ搬送され搬送ローラ７０へ到達し、切り替え部材５２を通過し終えるまで、搬送ローラ７０は正転状態を継続する。
【００４２】
なお切り替え部材５２が、何らかの理由により破線の位置を越えて回動させられるような回動力がはたらいた時、排紙方向の経路を塞ぐことの無いように、検知用部材５２ｃには、ストッパ部が設けられている（図８参照）。
【００４３】
記録紙Ｐが、切り替え部材５２を通過し終えると、付勢部材５３の付勢力により、切り替え部材５２は、図５の実線の状態に復帰し、同時に図６の検知用部材５２ｃも復帰する。このため、センサー５４も復帰を検知し、図示しない制御手段へ、記録紙Ｐが切り替え部材５２の通過を終了したことを信号として伝達し、搬送ローラ７０を停止させる。
【００４４】
この後、図示しない制御手段は、搬送ローラ７０を逆転させ、記録紙Ｐを排紙方向へ搬送する。図７は、排紙方向を説明するための図である。図７において、搬送ローラ７０の逆転により、記録紙Ｐは図７中の矢印（実線）方向へ搬送され、切り替え部材５２の左側と排出路内壁５６に沿いつつ搬送され、支持軸に取り付けられた回転可能なローラ５２ｂに接触した後、切り替え部材５２を通過し、矢印（破線）方向へ搬送される。この後、図１に示す排紙用搬送ローラ７１により、排紙トレイ１９に排紙される。
【００４５】
即ち、排紙方向へ記録紙が搬送され、記録紙が切り替え部材の支持軸周辺を通過する際、記録紙と切り替え部材が接触しつつ搬送される状態が発生しても、切り替え部材に紙面の時計方向へ回転させるモーメントを、回転可能なローラにより受け流し、回転力として支持軸に伝達できなくなる。これにより、切り替え部材５２が回動させられ、進入路に前記記録紙が通過中であるかのように誤認して、動作シーケンスに支障をきたしてしまう欠点や、場合によっては、排紙中の紙が排紙路中で、切り替え部材に押さえつけられ記録紙の搬送ができなくなるという問題を解消できる。
【００４６】
本発明の別の実施例を図９に示す。図９は、ローラ５２ｂの代わりに、支持軸５２ａ周辺で記録紙との直接的な接触を防止するための板状の部材５７を配置したものである。板状の部材５７は、図２のローラ５２ｂに相当する複数の位置では、５７ａのように切り替え部材５２の回動と干渉しない範囲で図下方までのびている。さらに、この部材は斜線部５７ｂの部分で、つながっており一部品で形成可能である。
【００４７】
この板状の部材５７の場合、記録紙Ｐは排紙時、図７中の矢印（実線）方向へ搬送され、切り替え部材５２の左側と排出路内壁５６に沿いつつ搬送され、支持軸に接触する前に、板状の部材５７ａと接し外周にそって、矢印（破線）方向へ搬送される。この後、図１に示す排紙用搬送ローラ７１により、排紙トレイ１９に排紙される。
【００４８】
即ち、排紙方向へ記録紙が搬送され、記録紙が切り替え部材の支持軸周辺を通過する際、記録紙と切り替え部材が接触せず、切り替え部材に紙面の時計方向へ回転させるモーメントは発生しない。これにより、切り替え部材５２が回動させられ、進入路に前記記録紙が通過中であるかのように誤認して、動作シーケンスに支障をきたしてしまう欠点や、場合によっては、排紙中の紙が排紙路中で、切り替え部材に押さえつけられ記録紙の搬送ができなくなるという問題を解消できる。
【００４９】
なお実施例では、反転排紙モード時の紙反転装置として説明したが、両面画像形成モード時やその他の、紙反転装置にも適用できるのはもちろんである。
【００５０】
【発明の効果】
以上述べたように、記録紙の接触による切り替え部材の誤作動を防止することができ、動作シーケンスに支障をきたしてしまう欠点や、場合によっては、排紙中の紙が排紙路中で、切り替え部材に押さえつけられ記録紙の搬送ができなくなるという問題が解消できる。加えて、切り替え部材と検知用部材を一体的に構成することで、ガタや位相のずれを無くし、緩衝材によるバウンド防止によって、切り替え部材の回動の検知の信頼性を向上できる。
【図面の簡単な説明】
【図１】画像形成装置の概要断面図である。
【図２】本発明の紙反転装置の切り替え部材の正面図である。
【図３】支持軸に組み込まれるローラ部品の分割の一例を示した図である。
【図４】支持軸と切り替え部材とローラの径の関係を示した図である。
【図５】紙反転装置への記録紙の進入動作を説明するための断面図である。
【図６】切り替え部材の状態検知部の断面図である。
【図７】紙反転装置への記録紙の排出動作を説明するための断面図である。
【図８】状態検知部の動作を説明するための断面図である。
【図９】本発明の別の実施例の断面図である。
【符号の説明】
５２　切り替え部材
５２ａ　支持軸
５２ｂ　ローラ
５２ｃ　検知用部材
５３　付勢部材
５４　センサー
５５　緩衝材
５６　排出路内壁
７０　搬送ローラ
【図１】
2004035135.tif 000003
【図２】
2004035135.tif 000004
【図３】
2004035135.tif 000005
【図４】
2004035135.tif 000006
【図５】
2004035135.tif 000007
【図６】
2004035135.tif 000008
【図７】
2004035135.tif 000009
【図８】
2004035135.tif 000010
【図９】
2004035135.tif 000011